(57)【要約】      （修正有）【課題】二つの本体袋の接触状態を安定化させ、できるだけ均一な保温効果を発揮させるＴ字型の健康保温具を提供する。【解決手段】Ｔ字型の健康保温具は、縦部本体袋１と横部本体袋２を含み、輪状連結帯３を縦部本体袋１の一端部に、縦方向および横方向のそれぞれに所定長さを有する面接触部３ａを有するようにして、縫い付けることで、輪状連結帯３を介して二つの本体袋１、２の接触状態を安定化させる。縦部本体袋１を横部本体袋２に対して縦方向に移動させることにより、使用者の体形に合わせた位置の調節ができるとともに、この位置の安定化によって全体の均一な保温が実現可能になる。【選択図】図１
0003232670.tif 000002
【実用新案登録請求の範囲】
【請求項１】
縦長にして使う縦部本体袋の一端部に、横長にして使う横部本体袋を連結したＴ字型の健康保温具であって、
上記縦部本体袋の一端部に設けられた輪状連結帯に、上記横部本体袋が挿し入れられて連結され、
上記輪状連結帯が縦部本体袋の一端部に、縦方向および横方向のそれぞれに所定長さを有する面接触部を有するように、縫い付けられていることを特徴とするＴ字型の健康保温具。
【請求項２】
面接触部は、縦方向に少なくとも３ｃｍ以上の長さを有することを特徴とする請求項１に記載のＴ字型の健康保温具。
【請求項３】
縦部本体袋および横部本体袋にそれぞれ、保温材を収容した中袋が収容され、この中袋には長手方向に並んだ複数の保温材収容部が形成されていることを特徴とする請求項１または２のいずれかに記載のＴ字型の健康保温具。
【請求項４】
横部本体袋に収容される中袋には、長手方向に並んで奇数の保温材収容部が形成され、そのうちの中央の保温材収容部の横方向の長さが、面接触部の横方向の長さよりも長いことを特徴とする請求項３に記載のＴ字型の健康保温具。
【考案の詳細な説明】
【技術分野】
【０００１】  本考案は、それぞれ保温材を収容した縦長、横長の二個の本体袋を、Ｔ字型に連結した健康保温具に関するものである。
【背景技術】
【０００２】  近年、女性の社会進出に伴い晩婚化、高齢出産などが進む傾向にあり、このことが出生率の低下につながるという問題が指摘されている。
これに対して、腰回りの冷えを抑制し、心と身体を好適に温めることにより、体調を維持しひいては出生率を高めることができるよう、身長方向（縦方向）に長くして使う縦部本体袋と、身幅方向（横方向）に長くして使う横部本体袋とを連結した、Ｔ字型の健康保温具が提案されている。
【考案の概要】
【考案が解決しようとする課題】
【０００３】  上記従来のＴ字型の健康保温具は、縦部本体袋と横部本体袋が一体になっており、両者の位置を調節できるものはなかった。
そこで、縦部本体袋の一端部に輪状の連結帯を縫い付けて、ここに横部本体袋を挿し入れる構造とすることも考えられる。こうすると、輪状連結帯を、横部本体袋の周りに滑らせて回すことにより、横部本体袋に対する縦部本体袋の位置を縦方向に変化させることができる。【０００４】  しかしながら、そうして輪状連結帯を縦部本体袋に縫い付けただけの構造では、横部本体袋との接触部が縫い目の部分だけで、いわば線状の接触状態になってしまうことから、横部本体袋に対する縦部本体袋の位置が安定し難く、使用者の動作によって位置がずれてしまうことがある。
また、縦部本体袋と横部本体袋との接触部が線状であると、その近くに隙間ができやすいので、二つの本体袋を重ねて十分に温める、というＴ字型の健康保温具の利点が損なわれるという問題もある。言い換えると、均一な保温効果の発揮が不十分になるおそれがあった。
【課題を解決するための手段】
【０００５】  本考案は、縦部本体袋の一端部に、縦方向および横方向のそれぞれに所定長さを有する面接触部を有するようにして、輪状連結帯を縫い付けており、この輪状連結体に横部本体袋を挿し入れて連結する。こうすると、輪状連結帯を横部本体袋の周りに滑らせて回すことにより、面接触部を縦方向に移動させて、横部本体袋に対する縦部本体袋の位置を縦方向に変化させることができる。
【考案の効果】
【０００６】  これにより、使用者の体形に合わせて、例えばその腰の位置に横長に配置した横部本体袋に対して、縦部本体袋の位置を股上の高さに合わせて適切に変化させることができる。
また、輪状連結帯を介して縦部本体袋と横部本体袋とが面接触の状態になるので、両者の位置が安定しやすく、使用者の動作によって位置がずれることを抑制できる。
しかも、そうして面接触する縦部本体袋と横部本体袋との間には隙間ができ難いので、二つの本体袋を重ねて十分に温めることができ、保温効果を均一に保ったまま、体形に合わせて狙いとする部位を的確に温めることができる。なお、面接触部は縦方向について少なくとも３ｃｍ以上の長さとするのが好ましい。【０００７】  また、好ましくは、縦部本体袋および横部本体袋にそれぞれ、直接、保温材が収容されているのではなく、保温材を収容した中袋が収容されていることであり、こうすると、中袋ごと保温材を取り出して、縦部本体袋および横部本体袋を容易に洗濯することができる。この場合に中袋には、長手方向に並んだ複数の保温材収容部を形成するのが好ましく、こうすると、保温材の偏りを抑制できる。【０００８】  また、好ましくは、横部本体袋に収容される中袋に、その長手方向に並ぶように奇数の保温材収容部を形成し、そのうちの中央の保温材収容部の横方向の長さを、面接触部の横方向の長さよりも長くすることである。こうすると、縦部本体袋の輪状連結帯に横部本体袋を挿し入れたとき、この横部本体袋の中央に位置する保温材収容部に、横方向について面接触部が含まれるように位置付けることができ、その面接触の状態を維持しやすくなる。
【図面の簡単な説明】
【０００９】
【図１】本発明の一実施態様を示すＴ字型の健康保温具の斜視図であり、縦部本体袋と横部本体袋とを連結していない状態を示す。
【図２】縦部本体袋と横部本体袋とを連結した状態を示す斜視図であって、（ａ）は縦部本体袋が下寄りの位置にあり、（ｂ）は上寄りの位置にある。
【図３】健康保温具を腰回りに使用した例を示す平面図である。
【考案を実施するための形態】
【００１０】  以下、添付図面１〜４に従って本発明のＴ字型の健康保温具の一実施態様について説明する。この例の健康保温具は、図１、２にそれぞれ示すように、縦長にして使う縦部本体袋１の一端部に、横長にして使う横部本体袋２を連結して、全体としてＴ字型として使用する。この際、縦部本体袋１の一端部に設けられた輪状連結帯３に、横部本体袋２を挿し入れて連結する。
【００１１】  縦部本体袋１および横部本体袋２にはそれぞれ、図１にのみ破線で示すように、布製の保温材入り中袋４が入っており、これを取り外して本体袋１，２を洗濯し衛生を保つことができる。中袋４の生地は保温した際に蒸気の逃げが良く渇きの良い木綿等の平織の布が良い。また、本体袋１，２の生地は例えばオーガニックコットンのような肌触りの良い布が良い。
【００１２】  中袋４には、保温材として主に米糠や玄米などを収容する複数の保温材収容部４ａが、長手方向に並んで形成されている。隣り合う保温材収容部４ａの間は、袋の幅方向に亘って直線的に縫い合わされ、図示の例では縦部本体袋１の中袋４に４つの保温材収容部４ａが、また、横部本体袋２の中袋４には５つの保温材収容部４ａが形成されている。
なお、保温材としては米糠や玄米などに限定されず、また、これに加えて粗塩、唐辛子、月桂樹、ヨモギなどを添加してもよい。
【００１３】  そして、縦部本体袋１の一端部に輪状連結帯３が縫い付けられている。この輪状連結帯３も例えばオーガニックコットンのような肌触りの良い布製とするのが好ましく、ここに例えば花柄の模様などが表示されていてもよい。図に示す例では輪状連結帯３は、その横方向（帯の幅方向）に亘って縦部本体袋１に縫い付けられるとともに、縦方向には所定の長さに亘って縫い付けられている。
【００１４】  すなわち、輪状連結帯３は縦部本体袋１の一端部に、面接触部３ａを有するように縫い付けられており、この面接触部３ａは一例として横長の長方形状で、縦方向に３〜４ｃｍ、横方向には６〜７ｃｍの長さを有している。なお、面接触部３ａの縦方向の長さは、後述する接触状態の安定化のために３ｃｍ以上とするのが好ましい。
【００１５】  また、面接触部３ａの横方向の長さは、輪状連結帯３の横方向の長さよりも短くてもよいが、こちらも３ｃｍ以上とするのが好ましい。ここで、面接触部３ａを有するように縫い付けるためには、面接触部３ａとなる長方形状の領域の周囲を全て取り囲むように縫い付けたり、３辺をコの字状に囲むように縫い付けたり、或いは、対向する二辺に沿うように縫い付けたりすればよい。
【００１６】  また、上述したように面接触部３ａの横方向の長さは、輪状連結帯３の幅（横方向の長さ）とほぼ同じで、例えば６〜７ｃｍであるが、これは、横部本体袋２の中央に位置する中袋４の保温材収容部４ａの横方向の長さ（例えば９ｃｍ）よりも短い。このため、図２に示すように輪状連結帯３に横部本体袋２を挿し入れたときに、横部本体袋２の中央に位置する保温材収容部４ａに、横方向について面接触部３ａが含まれるように位置付けることができる。
【００１７】  こうすると、輪状連結帯３は、横部本体袋２の中袋４の中央の保温材収容部４ａとその隣の保温材収容部４ａの間の縫い目を跨がないので、輪状連結帯３を介しての縦部本体袋１と横部本体袋２の間の面接触状態が維持されやすい。
【００１８】  本考案の健康保温具を使用するときには、縦部本体袋１および横部本体袋２を電子レンジで加熱する。保温材の量にもよるが、２分程度で適切な温度に温めることができる。そして、一例を図３に示すように、横たわった使用者の腰の上に載せて横部本体袋２を横長に（つまり身幅方向に長く）配置するとともに、この横部本体袋２に対する縦部本体袋１の位置を股上の高さに合わせて調節する。
【００１９】  詳しくは、例えば図２（ａ）に示す下寄りの位置から、輪状連結帯３を横部本体袋２の周りに滑らせて回すことにより、面接触部３ａを身長方向の上側に（縦方向に）移動させる。こうすると、図２（ｂ）に示すように縦部本体袋１の位置を、横部本体袋２に対して上寄りに変化させることができる。なお、この上寄りの位置では、図に斜線を入れて示すように面接触する面積が大きくなる。
【００２０】  そうして縦部本体袋１の位置を変化させるときの摩擦抵抗は、面接触部３ａがあることから、やや大きくなるものの、位置を変化させた後は、輪状連結帯３を介して連結された縦部本体袋１と横部本体袋２の接触状態が安定しやすく、横たわった使用者が身体を動かしても、位置がずれることは抑制される。
【００２１】  しかも、そうして面接触する縦部本体袋１と横部本体袋２の間には隙間ができ難い。特に、図２（ａ）の下寄りの位置では、面接触部３ａがあることによって、縦部本体袋１と横部本体袋２の間の隙間を防ぐことができる。このことで、二つの本体袋１，２を重ねて十分に温めることができ、保温効果を均一に保ったまま、体形に合わせて各部位を適切に温めることができる。
【００２２】  なお、上述した実施形態では、縦部本体袋１および横部本体袋２に中袋４が入っており、この中袋４に保温材を収容しているが、これに限らず、縦部本体袋１や横部本体袋２の一方、もしくは両方に直接、保温材を収容するようにしてもよい。
【符号の説明】
【００２３】１．縦部本体袋、
２．横部本体袋、
３．輪状連結帯、３ａ．面接触部、
４．中袋、      ４ａ．保温材収容部
【図１】
0003232670.tif 000003
【図２】
0003232670.tif 000004
【図３】
0003232670.tif 000005